(57)【要約】【課題】ブロックの断片化した記憶領域を有効に利用することで、記録時間の大幅な低下を防止する。【解決手段】速度情報検出手段５は、外部記憶装置７内の複数のブロックで構成されたユニットの使用状況をもとに、全ブロックが未使用の状態であるユニットを高速書き込み可能なユニット、一部のブロックが使用済であるユニットを低速ユニットとしてランク分けを行う。記憶領域選択手段６は、この速度情報を参照し、画像処理手段２からの符号量の発生状況に応じて、ブロックが断片化された状態のユニットを有効に使用することを書き込み制御手段４に指示する。【選択図】図１
2007180693.tif 000002
【特許請求の範囲】
【請求項１】
入力された映像信号に加工処理を施す画像処理手段と、
前記画像処理手段で加工されたデータを記憶する一次メモリと、
前記一次メモリに記憶されたデータを、外部記憶装置に書き込む処理を行う書き込み制御手段と、
前記外部記憶装置内の複数のブロックで構成されたユニットに少なくともデータが記憶されているか否かを管理することで、前記ユニットをデータ書き込み速度毎にランク分けする速度情報検出手段と、
前記画像処理手段の出力するデータのレート情報に基づき、前記レート情報が所定の閾値より大きい場合に高速なデータ書き込みが可能なユニットを選択し、前記書き込み制御手段に通知する記憶領域選択手段と、を備える映像信号記録装置。
【請求項２】
入力された映像信号に加工処理を施す画像処理手段と、
前記画像処理手段で加工されたデータを記憶する一次メモリと、
前記一次メモリに記憶されたデータを、外部記憶装置に書き込む処理を行う書き込み制御手段と、
前記一次メモリのメモリ残量を算出するメモリ残量監視手段と、
前記外部記憶装置内の複数のブロックで構成されたユニットに少なくともデータが記憶されているか否かを管理することで、前記ユニットをデータ書き込み速度毎にランク分けする速度情報検出手段と、
前記メモリ監視手段の出力する前記一次メモリのメモリ残量に基づき、前記メモリ残量が所定の閾値より小さい場合に高速なデータ書き込みが可能なユニットを選択し、前記書き込み制御手段に通知する記憶領域選択手段と、を備える映像信号記録装置。
【請求項３】
前記速度情報検出手段は、前記ユニットに対してデータの仮書き込みを行うことで、書き込み速度を計測し、前記画像処理手段が所定の最大符号量を発生した場合にも前記外部記憶装置に対してデータの書き込みが可能なデータ転送速度を確保できるユニットを特定することを特徴とする請求項１または２に記載の映像信号記録装置。
【請求項４】
前記記憶領域選択手段は、前記画像処理手段の発生符号量が所定の閾値以下となった際に、転送速度の低いユニットへのアクセスを許可することを特徴とする請求項１または２に記載の映像信号記録装置。
【請求項５】
前記記憶領域選択手段は、前記画像処理手段の記録動作停止時の加工データ終端において、転送速度の低いユニットへのアクセスを許可することを特徴とする請求項１または２に記載の映像信号記録装置。
【請求項６】
入力された映像信号に加工処理を施す画像処理手段と、
前記画像処理手段で加工されたデータを記憶する一次メモリと、
前記一次メモリに記憶されたデータを、外部記憶装置に書き込む処理を行う書き込み制御手段と、
前記外部記憶装置内の複数のブロックで構成されたユニットに少なくともデータが記憶されているか否かを管理することで、前記ユニットをデータ書き込み速度毎にランク分けする速度情報検出手段と、
前記画像処理手段の出力するデータの発生符号量に基づき、前記発生符号量が所定の閾値より大きい場合に高速なデータ書き込みが可能なユニットを選択し、前記書き込み制御手段に通知する記憶領域選択手段と、
高速なデータ書き込みが可能なユニットがなくなった際に、前記画像処理手段の発生するデータの発生符号量を制約する指示を与える画像処理制限手段と、を備える映像信号記録装置。
【請求項７】
入力された映像信号に加工処理を施す画像処理手段と、
前記画像処理手段で加工されたデータを記憶する一次メモリと、
前記一次メモリに記憶されたデータを、外部記憶装置に書き込む処理を行う書き込み制御手段と、
前記一次メモリのメモリ残量を算出するメモリ残量監視手段と、
外部記憶装置内の複数のブロックで構成されたユニットに少なくともデータが記憶されているか否かを管理することで、前記ユニットをデータ書き込み速度毎にランク分けする速度情報検出手段と、
前記メモリ監視手段の出力する前記一次メモリのメモリ残量に基づき、前記メモリ残量が所定の閾値より小さい場合に高速なデータ書き込みが可能なユニットを選択し、前記書き込み制御手段に通知する記憶領域選択手段と、
高速なデータ書き込みが可能なユニットがなくなった際に、前記画像処理手段の発生するデータの発生符号量を制約する指示を与える画像処理制限手段と、を備える映像信号記録装置。
【請求項８】
前記速度情報検出手段は、前記ユニットに対してデータの仮書き込みを行うことで、書き込み速度を計測し、前記画像処理手段が所定の最大符号量を発生した場合にも前記外部記憶装置に対してデータの書き込みが可能なデータ転送速度を確保できるユニットを特定することを特徴とする請求項６または７に記載の映像信号記録装置。
【請求項９】
前記符号量制限手段は、前記画像処理手段の発生符号量が所定の閾値以下となった際に、前記画像処理手段の発生するデータの発生符号量を制約することを特徴とする請求項６または７に記載の映像信号記録装置。
【発明の詳細な説明】
【技術分野】
【０００１】
本発明は、外部記憶装置に対して、映像信号を記録する映像信号記録装置に関するものである。
【背景技術】
【０００２】
映像信号を記録する装置は、映像信号をディジタルデータに変換して記録する方式が一般的となり、データを記録する外部記憶装置も、磁気テープから磁気ディスクやメモリカードなどのランダムアクセスの可能な記憶媒体に切り替わってきている。
【０００３】
映像信号をディジタルデータとして外部記憶装置に記憶する場合、外部記憶装置を所定の同一容量に分割したブロックに対して、そのブロックにデータを割り当てる記憶方法がとられる。この記憶方法では、各ブロックが既に使用されているか、または未使用であるかをブロック管理テーブルによって管理される。データの記憶は、このブロック管理テーブルを参照して未使用のブロックを検索し、データの容量に従って複数の未使用ブロックにデータを割り当てることにより行われる。この際、どのブロックを用いてデータを記憶したかを示すファイル管理テーブルが作成される。
【０００４】
映像データはデータ容量が大きいため、ひとつのブロックでデータを記憶することができず、複数のブロックを用いてそのデータが格納されることとなる。このとき、記憶するデータが不連続な領域に分散して記憶しようとすると、映像信号などのようにリアルタイム処理の必要なデータを書き込む場合に、ブロック間のアクセスに時間がかかり、リアルタイムでのデータ処理が困難となる可能性がある。したがって、映像データなどの記憶を行う場合、予め連続したブロックを確保するといった手段を講じることで、高速な書き込みのできる状態を保障する必要がある。
【０００５】
磁気テープから磁気ディスクやメモリカードなど記憶媒体への移行により実現可能となったランダムアクセスの技術は、見たい映像を位置指定することにより容易に再生きる機能、また、複数のファイル間で再生順序を自由に設定できる機能、また不要となった映像データを容易に削除できる機能などの多くの利点を使用者に提供することができる。しかしながら、映像の記録と削除を繰り返すことにより、次第に有効データを記憶した使用ブロックの断片化が増加し、未使用ブロックも断片化された状態となる課題がある。このように断片化が増加すると、書き込み可能な連続領域の検索に時間がかかることで、書き込み速度が低下してしまう。最終的には、高速でのデータ記録を必要とする映像信号の記録を正常に実施できない状態が発生する可能性もある。
【０００６】
この課題に対して、特許文献１では、高速でのデータ転送を保証するために、記憶媒体のデータを予め消去しておくことを提案している。そして、この消去処理に伴う機器の処理負荷を軽減するために、記憶媒体へのデータ転送速度を計測し、その計測結果に基づいて記憶媒体に対して予め特定サイズの空領域を確保するための消去処理の要否を判断する方法を取っている。
【０００７】
また、特許文献２では、物理的な記憶単位に依存したブロックの他に、連続した複数のブロックからユニットを構成し、このユニット単位でデータを記憶することで連続領域でのデータ書き込みを行い、リアルタイム処理を実現している。また、非リアルタイムで処理されるデータに対しては、ユニット単位ではなく、ブロック単位でデータを記憶する構成としている。これらの区別をするために、ユニットを管理するユニット管理テーブルを設定し、データの記録時に、このユニット管理テーブルをもとに各ユニットが使用可能か否かを識別するこが提案されている。
【特許文献１】特開２００４−３４９９５４号公報
【特許文献２】特開２００５−５０３８３号公報
【発明の開示】
【発明が解決しようとする課題】
【０００８】
特許文献１では、データの記録に先立って、各ブロックのデータ消去を行うことで書き込み性能を最大限に発揮することが提案されているが、有効データを記憶した使用ブロックの断片化により、未使用ブロックも断片化してしまった状態でのデータ書き込みを保証することに関して、提案されていない。この断片化した領域を有効に利用しなければ、記録時間の大幅な低下をまねくという課題が生じる。
【０００９】
また、特許文献２で挙げた従来の構成では、連続した複数ブロックから構成されるユニットに対して、リアルタイムデータを記録可能か否かを規定する情報を含んだユニット属性を管理するユニット管理テーブルを備えることで、リアルタイム処理の必要なデータと非リアルタイム処理データを記憶する領域を区別して処理している。このため、リアルタイム処理の必要なデータを記憶するという目的は達成されるが、非リアルタイム領域が残っていてもリアルタイムデータを記憶することができない状況が発生する。このように、ブロックが断片化した領域を有効に利用することができておらず、やはり、記録時間の大幅な低下をまねくという課題が生じる。
【００１０】
本発明は、このような従来の問題点に鑑みてなされたものであって、画像処理手段の出力するデータのレート情報、あるいは、一次メモリのメモリ残量を監視することで、高速なデータ書き込みが可能なユニットと低速な書き込みしかできないユニットとを適応的に切り替えて使用し、ブロックが断片化した領域を有効に利用できる映像信号記録装置を実現することを目的とする。
【課題を解決するための手段】
【００１１】
本発明は、上記の課題を解決するために次のような手段を講じる。
【００１２】
本発明は、入力された映像信号に加工処理を施す画像処理手段と、前記画像処理手段で加工されたデータを記憶する一次メモリと、前記一次メモリに記憶されたデータを、外部記憶装置に書き込む処理を行う書き込み制御手段と、前記外部記憶装置内の複数のブロックで構成されたユニットに少なくともデータが記憶されているか否かを管理することで、前記ユニットをデータ書き込み速度毎にランク分けする速度情報検出手段と、前記画像処理手段の出力するデータのレート情報に基づき、前記レート情報が所定の閾値より大きい場合に高速なデータ書き込みが可能なユニットを選択し、前記書き込み制御手段に通知する記憶領域選択手段と、を備えたことを特徴とするものである。
【００１３】
本発明は、入力された映像信号に加工処理を施す画像処理手段と、前記画像処理手段で加工されたデータを記憶する一次メモリと、前記一次メモリに記憶されたデータを、外部記憶装置に書き込む処理を行う書き込み制御手段と、前記一次メモリのメモリ残量を算出するメモリ残量監視手段と、前記外部記憶装置内の複数のブロックで構成されたユニットに少なくともデータが記憶されているか否かを管理することで、前記ユニットをデータ書き込み速度毎にランク分けする速度情報検出手段と、前記メモリ監視手段の出力する前記一次メモリのメモリ残量に基づき、前記メモリ残量が所定の閾値より小さい場合に高速なデータ書き込みが可能なユニットを選択し、前記書き込み制御手段に通知する記憶領域選択手段と、を備えたことを特徴とするものである。
【００１４】
また、前記速度情報検出手段は、前記ユニットに対してデータの仮書き込みを行うことで、書き込み速度を計測し、前記画像処理手段が所定の最大符号量を発生した場合にも前記外部記憶装置に対してデータの書き込みが可能なデータ転送速度を確保できるユニットを特定することを特徴とするものである。
【００１５】
また、前記記憶領域選択手段は、前記画像処理手段の発生符号量が所定の閾値以下となった際に、転送速度の低いユニットへのアクセスを許可することを特徴とするものである。
【００１６】
また、前記記憶領域選択手段は、前記画像処理手段の記録動作停止時の加工データ終端において、転送速度の低いユニットへのアクセスを許可することを特徴とするものである。
【００１７】
本発明は、入力された映像信号に加工処理を施す画像処理手段と、前記画像処理手段で加工されたデータを記憶する一次メモリと、前記一次メモリに記憶されたデータを、外部記憶装置に書き込む処理を行う書き込み制御手段と、前記外部記憶装置内の複数のブロックで構成されたユニットに少なくともデータが記憶されているか否かを管理することで、前記ユニットをデータ書き込み速度毎にランク分けする速度情報検出手段と、前記画像処理手段の出力するデータの発生符号量に基づき、前記発生符号量が所定の閾値より大きい場合に高速なデータ書き込みが可能なユニットを選択し、前記書き込み制御手段に通知する記憶領域選択手段と、高速なデータ書き込みが可能なユニットがなくなった際に、前記画像処理手段の発生するデータの発生符号量を制約する指示を与える画像処理制限手段と、を備えたことを特徴とするものである。
【００１８】
本発明は、入力された映像信号に加工処理を施す画像処理手段と、前記画像処理手段で加工されたデータを記憶する一次メモリと、前記一次メモリに記憶されたデータを、外部記憶装置に書き込む処理を行う書き込み制御手段と、前記一次メモリのメモリ残量を算出するメモリ残量監視手段と、外部記憶装置内の複数のブロックで構成されたユニットに少なくともデータが記憶されているか否かを管理することで、前記ユニットをデータ書き込み速度毎にランク分けする速度情報検出手段と、前記メモリ監視手段の出力する前記一次メモリのメモリ残量に基づき、前記メモリ残量が所定の閾値より小さい場合に高速なデータ書き込みが可能なユニットを選択し、前記書き込み制御手段に通知する記憶領域選択手段と、高速なデータ書き込みが可能なユニットがなくなった際に、前記画像処理手段の発生するデータの発生符号量を制約する指示を与える画像処理制限手段とを備えたことを特徴とするものである。
【００１９】
また、前記速度情報検出手段は、前記ユニットに対してデータの仮書き込みを行うことで、書き込み速度を計測し、前記画像処理手段が所定の最大符号量を発生した場合にも前記外部記憶装置に対してデータの書き込みが可能なデータ転送速度を確保できるユニットを特定することを特徴とするものである。
【００２０】
また、前記符号量制限手段は、前記画像処理手段の発生符号量が所定の閾値以下となった際に、前記画像処理手段の発生するデータの発生符号量を制約することを特徴とするものである。
【発明の効果】
【００２１】
本発明の映像信号記録装置によると、映像信号などのリアルタイムデータの記録を行う際に、ブロックが断片化した記憶領域を有効に利用することを可能とし、これにより記録時間の大幅な低下を防止することができる。
【発明を実施するための最良の形態】
【００２２】
（実施の形態１）
本発明の実施の形態１における映像信号記録装置について、図面を参照しながら説明する。図１は本実施の形態における映像信号記録装置の構成を示すブロック図である。同図において、１は画像入力端子、２は画像処理手段、３は一次メモリ、４は書き込み制御手段、５は速度情報検出手段、６は記憶領域選択手段、７は外部記憶装置である。
【００２３】
まず、画像入力端子１から入力された映像信号は、画像処理手段２によって、ＭＰＥＧ２、ＭＰＥＧ４といった画像圧縮の処理が施され、ブロックデータに変換された後に、一次メモリ３に蓄えられる。なお、画像圧縮の方式については、特にＭＰＥＧ２、ＭＰＥＧ４に限定するものではない。
【００２４】
次に、書き込み制御手段４は、一次メモリ３からブロックデータを読み出し、外部記憶装置７へと転送する。
【００２５】
この映像信号の記録処理に先立ち、速度情報検出手段５は、外部記憶装置内７の複数のブロックで構成されたユニットの状態を判定する。
【００２６】
以下に、図２を用いて、速度情報検出手段５の処理に関して説明を加える。図２は、外部記憶装置７のブロックとユニットの管理情報の状態を示すものである。図２（ａ）に複数のブロックで構成されたユニットの使用状況を、（ｂ）に個々のブロックの使用状況を示している。ユニット２０１、２０５は、構成するブロックがすべて使用済みを示す”１”の状態となっている。ユニット２０２は、一部のブロックが使用済み”１”であり、未使用のブロック”０”と混合している状態である。２０３、２０４は、すべて未使用のブロック”０”である。速度情報検出手段５は各ユニットに対し、ユニット内に含まれるブロックの使用状況の情報を収集することで、全使用のユニット、一部使用のユニット、未使用のユニットといったユニットの状態を判定し、全ブロックが未使用の状態であるユニットを高速書き込み可能なユニット、一部のブロックが使用済であるユニットを低速ユニットとしてランク分けを行い、このランク分けを速度情報として使用する。ここで、各ユニットに対して仮データの書き込みを行うことで、より詳細な管理を行ってもよい。また、一部使用のユニットの使用状態を、所定の数以上の未使用ブロックを有する、あるいは、所定の数以上の連続する未使用ブロックを有するなど、より詳細な管理を行なって、各ユニットのクラス分けを行なっても良い。
【００２７】
次に、記憶領域選択手段６は、速度情報検出手段５の管理する外部記憶装置７の速度情報を参照し、画像処理手段２の発生符号量の書き込みを満足する速度を持ったユニットを選択し、書き込み制御手段４に通知を行う。高速な書き込みが必要とされる場合は、ユニット２０３、２０４といった高速書き込み可能なユニットを選択し、発生符号量が所定の閾値より低い場合は、ユニット２０２のように一部のデータが使用済みのユニットを選択する。
【００２８】
この様子を、図３を用いて説明する。図３は、画像処理手段２の発生符号量の推移を示している。縦軸は発生号量、横軸は時間である。画像処理手段２では、映像信号の状態に適した発生符号量の制御を行う際、記録を保証するために最大符号量以下となるように符号量制御を実施する。３０１の期間は、大幅に目標符号量を超えて最大符号量に近い符号量を発生している状態であり、外部記憶装置７へのデータの書き込みには、高速なアクセスが必要となるため、ユニット２０３、２０４といった高速書き込み可能なユニットを用いた書き込みを行うことを、書き込み制御手段４に指示する。これに対し、３０２の期間は、符号量の発生が少ない状態となっており、所定の閾値を下回っていることから、高速なアクセスを必要としないと判断し、ユニット２０２のように一部のデータが使用済みのユニットを用いた書き込みを行うことを、書き込み制御手段４に指示する。ここでは、簡単化のために、閾値を１種類としているが、速度情報検出手段５にて詳細なユニットのランク分けを実施し、それに合わせて発生符号量に複数の閾値を設け、より精度の高い制御を行うことも可能である。また、閾値を複数設けて、ヒステリシスを持たせることは容易であり、このことにより、発生符号量の変動に対して過敏に変動することを防止できることは言うまでもない。
【００２９】
以上のように、符号量の発生状況に応じて、ブロックが断片化された状態のユニットを有効に使用することができ、これにより記録時間の大幅な低下を防止することができる。
【００３０】
（実施の形態２）
本発明の実施の形態２における映像信号記録装置を図４に示す。
【００３１】
実施の形態１と異なる点は、メモリ残量監視手段４０１を具備する点である。共通部分に関しては、実施の形態１と同様の符号を割り振ることで説明は省略する。
【００３２】
メモリ残量監視手段４０１は、画像処理手段２が一次メモリ３に書き込むデータ量と書き込み制御手段４が一次メモリ３から読み出すデータ量をもとに、メモリ残量の監視を行う。
【００３３】
図５は、メモリ残量の増減の推移を示すものである。縦軸が一次メモリ３のメモリ残量、横軸が時間である。期間５０１および期間５０２は、メモリ残量が少なくなっている状態を示している。閾値１よりメモリ残量が少なくなった時点から、閾値２よりメモリ残量が多くなる期間までを、メモリ残量が少なくなっている状態と判断している。期間５０１および期間５０２は、高速にデータの読み出しを実施しなければ、画像処理手段２の発生するデータを書き込む領域がなくなり、処理破綻が発生してしまう危険な状態である。そこで、このメモリ残量の情報をもとに、記憶領域選択手段６は、期間５０１および期間５０２において、図２に示したユニット２０３、２０４といった高速書き込み可能なユニットを用いた書き込みを行うことを、書き込み制御手段４に指示する。
【００３４】
これに対し、期間５０１および期間５０２以外の期間では、高速なアクセスを必要としないため、高速なアクセスを必要としないと判断し、ユニット２０２のように一部のデータが使用済みのユニットを用いた書き込みを行うことを、書き込み制御手段４に指示する。
【００３５】
なお、ここでは閾値を２種類としているが、実施の形態１と同様に１種とする、あるいは、ユニットのランク分けを詳細に実施することで、より精度の高い制御を行うことも可能である。
【００３６】
以上のように、メモリ残量の状態に応じて、ブロックが断片化された状態のユニットを有効に使用することができ、これにより記録時間の大幅な低下を防止することができる。
【００３７】
（実施の形態３）
本発明の実施の形態３における映像信号記録装置を図６に示す。
【００３８】
実施の形態１と異なる点は、画像処理制御手段６０１を具備する点である。共通部分に関しては、実施の形態１と同様の符号を割り振ることで説明は省略する。
【００３９】
記憶領域選択手段６は、速度情報検出手段５の管理する外部記憶装置７の速度情報を参照し、画像処理手段２の発生符号量の書き込みを満足する速度を持ったユニットを選択し、書き込み制御手段４に通知を行うことで外部記憶装置７へのデータの書き込みを実現する。しかしながら、データの記録が進むに従って、高速なデータ書き込みが可能なユニットがなくなった場合、画像処理手段２が最大発生符号量に近い符号量を発生し続けると、外部記憶装置７へのデータの書き込みが追いつかず、処理が破綻してしまう可能性がある。
【００４０】
そこで、記憶領域選択手段６は、高速なデータ書き込みが可能なユニットがなくなったことを画像処理制御手段６０１に通知し、これを受けて、画像処理制御手段６０１は、画像処理手段２に対して発生符号量を制約する指示を与える。
【００４１】
この様子を、図７を用いて説明する。図７は、画像処理手段２の発生符号量の推移を示しており、図３の最大符号量を制限した状態である。縦軸が発生符号量を示し、横軸が時間を示す。
【００４２】
画像処理手段２は、映像信号の状態に適した発生符号量の制御を行う際、記録を保証するために最大符号量以下となるように符号量制御を実施する。画像処理制御手段６０１からこの最大符号量を指示することで、発生符号量の制約を行うことが可能となる。７０１の期間は、最大符号量の設定が変更されたことにより、符号量の発生が抑制されている。これに対し、７０２の期間は、図３の３０２の期間と同様に符号量の発生が少ない状態であり、所定の閾値を下回っていることから、高速なアクセスを必要としないと判断し、より低速ユニット用いた書き込みを行うことが可能となる。
【００４３】
以上のように、高速なデータ書き込みが可能なユニットがなくなった状態であっても、ブロックが断片化された状態のユニットを有効に使用することができ、これにより、記録停止することなく、記録時間の大幅な低下を防止することができる。
【００４４】
なお、図８に示すように、実施の形態２に対して、画像処理制御手段６０１を具備する構成（実施の形態３の構成）とすることでも、発生符号量の制約を行うことが可能であり、高速なデータ書き込みが可能なユニットがなくなった状態であっても、記録停止することなく、記録時間の大幅な低下を防止することができる。
【産業上の利用可能性】
【００４５】
以上のように、本発明にかかる映像信号記録装置は、複数のブロックからなるユニット内の使用状況を管理し、発生符号量およびメモリ残量に基づいて、ブロックが断片化した記憶領域を有効に利用することを可能とすることで、映像信号などのリアルタイム処理を必要とするデータ記録に適応できる。
【図面の簡単な説明】
【００４６】
【図１】本発明の実施の形態１における映像信号記録装置の構成を示すブロック図
【図２】同実施の形態１の外部記憶装置におけるブロックとユニットの管理情報の状態を示す図
【図３】同実施の形態１の画像処理手段における発生符号量の推移を示すタイミングチャート
【図４】同実施の形態２における映像信号記録装置の構成を示すブロック図
【図５】同実施の形態２の一次メモリにおけるメモリ残量の推移を示すタイミングチャート
【図６】同実施の形態３における映像信号記録装置の構成を示すブロック図
【図７】同実施の形態３の画像処理手段における発生符号量の推移を示すタイミングチャート
【図８】同実施の形態２及び３の組み合わせにおける映像信号記録装置の構成を示すブロック図
【符号の説明】
【００４７】
１    画像入力端子
２    画像処理手段
３    一次メモリ
４    書き込み制御手段
５    速度情報検出手段
６    記憶領域選択手段
７    外部記憶装置
４０１    メモリ残量監視手段
６０１    画像処理制御手段
【図１】
2007180693.tif 000003
【図２】
2007180693.tif 000004
【図３】
2007180693.tif 000005
【図４】
2007180693.tif 000006
【図５】
2007180693.tif 000007
【図６】
2007180693.tif 000008
【図７】
2007180693.tif 000009
【図８】
2007180693.tif 000010